(57)【要約】【課題】信号線から得たディジタル映像信号を表示する際に、ビデオＤＡコンバータが不要な表示装置の提供。【解決手段】信号線（図示せず）から得たディジタル映像信号を、表示部２３ａに表示する為に処理し、処理した映像信号を表示部２３ａに表示する表示装置。ディジタル映像信号に基づきＲ，Ｇ，Ｂの各ディジタル信号を作成する作成手段１９ａと、信号線から得た指示信号に基づき、表示部２３ａの表示状態を制御する手段１１とを備え、表示部２３ａは、与えられたＲ，Ｇ，Ｂの各ディジタル信号により映像を表示する構成である。【選択図】　　　　図１
2004088349.tif 000002
【特許請求の範囲】
【請求項１】
信号線から得たディジタル映像信号を、表示部に表示する為に処理し、処理した映像信号を表示部に表示する表示装置において、
前記ディジタル映像信号に基づきＲ，Ｇ，Ｂの各ディジタル信号を作成する作成手段と、信号線から得た指示信号に基づき、前記表示部の表示状態を制御する手段とを備え、前記表示部は、与えられた前記Ｒ，Ｇ，Ｂの各ディジタル信号により映像を表示すべくなしてあることを特徴とする表示装置。
【請求項２】
前記ディジタル映像信号が圧縮されているときは、該ディジタル映像信号を伸長する手段を更に備え、前記作成手段は、該手段が伸長したディジタル映像信号に基づき、Ｒ，Ｇ，Ｂの各ディジタル信号を作成すべくなしてある請求項１記載の表示装置。
【請求項３】
前記指示信号に基づき文字情報又は画像情報を前記表示部に上書きする手段を更に備える請求項１又は２記載の表示装置。
【発明の詳細な説明】
【０００１】
【発明の属する技術分野】
本発明は、バスから得たディジタル映像信号を、表示部に表示する為に信号処理し、信号処理した映像信号を表示部に表示する表示装置に関するものである。
【０００２】
【従来の技術】
近時、車両に搭載されたＡＶ（Ａｕｄｉｏ　Ｖｉｓｕａｌ）システムでは、ナビゲーション装置及びテレビジョンの他、ＤＶＤ（Ｄｉｇｉｔａｌ　Ｖｅｒｓａｔｉｌｅ　Ｄｉｓｃ）装値、ＤＶ（Ｄｉｇｉｔａｌ　Ｖｉｄｅｏ　）カメラ、ゲーム機等の情報機器が増加している。
情報機器の増加に伴い、それぞれ専用の接続線が必要となり、車両内ハーネスが増加して、配線が出来なくなる、ハーネスの重量が無視出来なくなる等の問題が懸念されている。
その為、車載ＡＶシステムでは、高速ディジタルバスに上記各情報機器を接続する高速ＬＡＮ（Ｌｏｃａｌ　Ａｒｅａ　Ｎｅｔｗｏｒｋ）を導入することが検討されている。
【０００３】
図４は、ＬＡＮを構成するバス（信号線）から得たディジタル映像信号を表示する従来の表示装置の構成例を示すブロック図である。
この表示装置は、ＬＡＮ（ＩＥＥＥ１３９４による光通信を想定）を構成するバスからの光信号を、光リンク１２が電気信号に変換し、その変換したＩＥＥＥ１３９４規格のパケット信号を、ＰＨＹチップ１３がシリアル−パラレル変換して出力する。ＩＥＥＥ１３９４規格のデータリンク層を受け持つＬＩＮＫチップ１４が、ＰＨＹチップ１３が出力したパケット信号からヘッダ部を除去する。そして、制御信号、ディジタルビデオ信号、ディジタルＲ（Ｒｅｄ　），Ｇ（Ｇｒｅｅｎ　），Ｂ（Ｂｌｕｅ）信号、圧縮されたディジタルビデオ信号又は圧縮されたディジタルＲ，Ｇ，Ｂ信号を取り出し出力する。
光リンク１２、ＰＨＹチップ１３及びＬＩＮＫチップ１４は、ＬＡＮインタフェース部を構成しており、送信／受信に合わせて双方向に作動する。
【０００４】
ＬＩＮＫチップ１４が出力したディジタルビデオ信号又はディジタルＲ，Ｇ，Ｂ信号（圧縮された信号も含む）は、ディジタル処理部１９に与えられ、ディジタルＲ，Ｇ，Ｂ信号に変換される。ディジタル処理部１９は、ＲＡＭ１５（Ｒａｎｄｏｍ　Ａｃｃｅｓｓ　Ｍｅｍｏｒｙ）、伸長部１６、タイミングコントロール部１７、及びフォーマット変換部１８を備えている。
ＬＩＮＫチップ１４及びディジタル処理部１９は、それぞれＣＰＵ１１と制御信号を授受し、受けた制御信号に応じて作動する。
【０００５】
伸長部１６は、ＬＩＮＫチップ１４からのデータ信号（ディジタルビデオ信号又はディジタルＲ，Ｇ，Ｂ信号）が圧縮されている場合に、そのデータ信号を伸長して解凍する。タイミングコントロール部１７は、ディジタルビデオ信号又はディジタルＲ，Ｇ，Ｂ信号から同期信号を抽出してタイミングを取る。フォーマット変換部１８は、ディジタルビデオ信号の輝度信号及び色差信号のフォーマットから、ディジタルＲ，Ｇ，Ｂ信号に変換し、また、１フレーム当たりの画素数を調整する。
【０００６】
ディジタル処理部１９が変換したディジタルＲ，Ｇ，Ｂ信号は、ビデオＤＡコンバータ２０によりアナログのＲ，Ｇ，Ｂ信号に変換され、アナログ処理γ補正部２１及びタイミングコントロール部２２に与えられる。
アナログ処理γ補正部２１は、Ｒ，Ｇ，Ｂ信号にγ補正を施して、ＬＣＤモジュール２３のソースドライバ２５に与える。タイミングコントロール部２２は、Ｒ，Ｇ，Ｂ信号から同期信号を抽出して、ＬＣＤモジュール２３のソースドライバ２５及びゲートドライバ２４に与える。
【０００７】
ＬＣＤモジュール２３は、ゲートドライバ２４、ソースドライバ２５、ＬＣＤ２６（液晶ディスプレイ）及びバックライト２７を備えている。ゲートドライバ２４及びソースドライバ２５は、同期信号及びＲ，Ｇ，Ｂ信号に基づくマトリクス動作により、ＬＣＤ２６にＲ，Ｇ，Ｂ信号を表示する。
上記各部は、電源部・インバータ４０から直流電源又は交流電源を与えられる。
【０００８】
【発明が解決しようとする課題】
上述したような、バスから得たディジタル映像信号を表示する従来の表示装置では、ディジタル映像信号をアナログ信号に変換しているので、その為のビデオＤＡコンバータ２０が必要であり、部品コストが嵩むという問題がある。
本発明は、上述したような事情に鑑みてなされたものであり、信号線から得たディジタル映像信号を表示する際に、ビデオＤＡコンバータが不要な表示装置を提供することを目的とする。
【０００９】
【課題を解決するための手段】
第１発明に係る表示装置は、信号線から得たディジタル映像信号を、表示部に表示する為に処理し、処理した映像信号を表示部に表示する表示装置において、前記ディジタル映像信号に基づきＲ，Ｇ，Ｂの各ディジタル信号を作成する作成手段と、信号線から得た指示信号に基づき、前記表示部の表示状態を制御する手段とを備え、前記表示部は、与えられた前記Ｒ，Ｇ，Ｂの各ディジタル信号により映像を表示すべくなしてあることを特徴とする。
【００１０】
この表示装置では、信号線から得たディジタル映像信号を、表示部に表示する為に処理し、処理した映像信号を表示部に表示する。作成手段が、信号線から得たディジタル映像信号に基づきＲ，Ｇ，Ｂの各ディジタル信号を作成し、制御する手段が、信号線から得た指示信号に基づき、表示部の表示状態を制御する。表示部は、与えられたＲ，Ｇ，Ｂの各ディジタル信号により映像を表示する。
これにより、信号線から得たディジタル映像信号を表示する際に、ビデオＤＡコンバータが不要であると共に、信号線に接続されたコントローラから、表示状態の制御が可能な表示装置を実現することが出来る。
【００１１】
第２発明に係る表示装置は、前記ディジタル映像信号が圧縮されているときは、該ディジタル映像信号を伸長する手段を更に備え、前記作成手段は、該手段が伸長したディジタル映像信号に基づき、Ｒ，Ｇ，Ｂの各ディジタル信号を作成すべくなしてあることを特徴とする。
【００１２】
この表示装置では、ディジタル映像信号が圧縮されているときは、伸長する手段が、そのディジタル映像信号を伸長し、作成手段は、その伸長したディジタル映像信号に基づき、Ｒ，Ｇ，Ｂの各ディジタル信号を作成する。
これにより、信号線から得たディジタル映像信号を表示する際に、ビデオＤＡコンバータが不要であると共に、ディジタル映像信号が圧縮されているときは、それを伸長して表示することが出来る表示装置を実現することが出来る。
【００１３】
第３発明に係る表示装置は、前記指示信号に基づき文字情報又は画像情報を前記表示部に上書きする手段を更に備えることを特徴とする。
【００１４】
この表示装置では、指示信号に基づき文字情報又は画像情報を表示部に上書きする手段を更に備えているので、信号線から得たディジタル映像信号を表示する際に、ビデオＤＡコンバータが不要であると共に、ＯＳＤ（Ｏｎ　Ｓｃｒｅｅｎ　Ｄｉｓｐｌａｙ　）機能を備えた表示装置を実現することが出来る。
【００１５】
【発明の実施の形態】
以下に、本発明を、その実施の形態を示す図面に基づき説明する。
実施の形態１．
図１は、本発明に係る表示装置の実施の形態１の構成を示すブロック図である。
この表示装置１は、ＩＥＥＥ１３９４による光通信で作動するＬＡＮを構成するバス（信号線）に接続される。ＩＥＥＥ１３９４では、非同期信号であるＡｓｙｎｃｈｒｏｎｏｕｓパケットと、リアルタイムに送信される同期信号であるＩｓｏｃｈｒｏｎｏｕｓパケットとにより、通信を行う。映像信号及び音声信号等のデータ信号は、Ｉｓｏｃｈｒｏｎｏｕｓパケットにより送信され、制御信号は、Ａｓｙｎｃｈｒｏｎｏｕｓパケットにより送信される。
【００１６】
バックカメラ及びナビゲーション装置からの映像信号は、ディジタルＲ（Ｒｅｄ　），Ｇ（Ｇｒｅｅｎ　），Ｂ（Ｂｌｕｅ）信号又はディジタルビデオ信号（輝度信号Ｙ、色差信号Ｃｂ，Ｃｒをディジタル化した信号）の非圧縮のディジタル信号で送信される。テレビジョン及びＤＶＤ（Ｄｉｇｉｔａｌ　Ｖｅｒｓａｔｉｌｅ　Ｄｉｓｃ）装値からの映像信号は、ＭＰＥＧ圧縮された状態で送信される。但し、バックカメラ及びナビゲーション装置からの映像信号も圧縮することは可能である。
【００１７】
この表示装置１は、上述したようなＬＡＮを構成するバス（信号線）からの光信号を、光リンク１２が電気信号に変換し、その変換したＩＥＥＥ１３９４規格のパケット信号を、ＰＨＹチップ１３がシリアル−パラレル変換して出力する。ＩＥＥＥ１３９４規格のデータリンク層を受け持つＬＩＮＫチップ１４が、ＰＨＹチップ１３が出力したパケット信号からヘッダ部を除去して、制御信号、ディジタルビデオ信号、ディジタルＲ，Ｇ，Ｂ信号、圧縮されたディジタルビデオ信号又は圧縮されたディジタルＲ，Ｇ，Ｂ信号を取り出し出力する。
光リンク１２、ＰＨＹチップ１３及びＬＩＮＫチップ１４は、ＬＡＮインタフェース部を構成しており、送信／受信に合わせて双方向に作動する。
【００１８】
ＬＩＮＫチップ１４が出力したディジタルビデオ信号又はディジタルＲ，Ｇ，Ｂ信号（圧縮された信号も含む）は、ディジタル処理部１９ａ（作成手段）に与えられ、ディジタルＲ，Ｇ，Ｂ信号に変換される。ディジタル処理部１９ａは、ＲＡＭ１５（Ｒａｎｄｏｍ　Ａｃｃｅｓｓ　Ｍｅｍｏｒｙ）、伸長部１６（伸長する手段）、タイミングコントロール部１７、及びＲＧＢ変換部２８を備えている。
ＬＩＮＫチップ１４及びディジタル処理部１９ａは、それぞれＣＰＵ１１（制御する手段）と制御信号を授受し、受けた制御信号に応じて作動する。ＣＰＵ１１は、ＬＩＮＫチップ１４からの制御信号（指示信号）に基づき、ディジタル処理部１９ａ及び後述するＬＣＤモジュール２３ａ（表示部）を制御し、ＬＣＤモジュール２３ａの表示状態を制御する。
【００１９】
伸長部１６は、ＬＩＮＫチップ１４からのデータ信号が圧縮されたディジタルビデオ信号である場合に、その圧縮ディジタルビデオ信号を伸長して解凍する。タイミングコントロール部１７は、ディジタルビデオ信号から同期信号を抽出してタイミングを取る。ＲＧＢ変換部２８は、ディジタルビデオ信号の輝度信号及び色差信号のフォーマットから、ディジタルＲ，Ｇ，Ｂ信号に変換し、また、１フレーム当たりの画素数を調整する。
【００２０】
ディジタル処理部１９ａが変換したディジタルＲ，Ｇ，Ｂ信号、及びタイミングコントロール部１７が抽出した同期信号は、ＬＣＤモジュール２３ａに直接与えられる。ＬＣＤモジュール２３ａは、ゲートドライバ２４、ソースドライバ２５、ＬＣＤ２６（液晶ディスプレイ）、バックライト２７及び階調用電圧発生部２９を備えている。
タイミングコントロール部１７が抽出した同期信号は、ゲートドライバ２４及びソースドライバ２５に与えられる。
【００２１】
ディジタルＲ，Ｇ，Ｂ信号は、階調用電圧発生部２９に与えられ、階調用電圧発生部２９は、Ｒ，Ｇ，Ｂ信号それぞれの階調用電圧を発生させ、ソースドライバ２５に与える。
ゲートドライバ２４及びソースドライバ２５は、同期信号及びＲ，Ｇ，Ｂ信号の各階調用電圧に基づくマトリクス動作により、ＬＣＤ２６にＲ，Ｇ，Ｂ信号を表示する。
上記各部は、電源部・インバータ４０から直流電源又は交流電源を与えられる。
【００２２】
このような構成の表示装置１では、ＬＡＮインタフェース部１２〜１４でＩＥＥＥ１３９４のＩｓｏｃｈｒｏｎｏｕｓパケットを受信し、ヘッダを除去して、パケットから動画映像データ（ディジタル映像信号）をフレームメモリに格納する。そして、ヘッダの同期情報に基づきタイミングを取りながら、ＬＣＤモジュール２３ａのタイミングに合わせたディジタルＲ，Ｇ，Ｂ信号の映像データに変換、生成し、ＬＣＤモジュール２３ａに表示させる。
【００２３】
ＬＣＤモジュール２３ａは、ディジタルＲ，Ｇ，Ｂ信号対応のモジュールを使用することにより、ディジタル／アナログ変換及びアナログ信号の処理が不要となり、ディジタル回路のみで構成することが出来る為、安価に構成出来、また、画像ノイズの設計段階での影響が少なくなる。
テレビジョン及びＤＶＤ装置がＭＰＥＧ２等の圧縮されたデータで送信される場合を考慮して、表示装置１の伸長部１６にＭＰＥＧデコーダを内蔵させる。これにより、Ｉｓｏｃｈｒｏｎｏｕｓパケットから、ＬＩＮＫチップ１４によりＭＰＥＧストリームに戻し、戻したＭＰＥＧストリームを、伸長部１６によりディジタビデオ信号又はディジタルＲ，Ｇ，Ｂ信号に戻して、タイミングを調整して、ＬＣＤモジュール２３ａに表示させる。
【００２４】
図２は、車両に搭載するＡＶシステムに、本発明に係る表示装置１を組み込んだ場合の構成例を示すブロック図である。
このＡＶシステムは、ＩＥＥＥ１３９４による光通信で作動するＬＡＮを構成するバス２（信号線）に、ナビゲーション装置５、テレビジョンチューナ６、ＤＶＤ（Ｄｉｇｉｔａｌ　Ｖｅｒｓａｔｉｌｅ　Ｄｉｓｃ）装値７、バックカメラ８、２台の表示装置１及びオーディオ機器を兼ねたコントローラ３が接続されている。オーディオ機器を兼ねたコントローラ３にはスピーカ４（実際には複数）が接続されている。
【００２５】
このような構成のＡＶシステムでは、コントローラ３のスイッチ類３ａの操作により、２台の表示装置１それぞれに、ナビゲーション装置５、テレビジョンチューナ６、ＤＶＤ装値７又はバックカメラ８の何れかからの異なる映像を表示させることが可能である。
また、コントローラ３のスイッチ類３ａの操作により、表示装置１の輝度、コントラスト、及びオン／オフ等の表示状態の制御を行うことが可能である。その制御信号（指示信号）は、バス２経由でＡｓｙｎｃｈｒｏｎｏｕｓパケットにより表示装置１へ送信される。表示装置１では、ＬＡＮインタフェース部１２〜１４経由でＣＰＵ１１が、その制御信号を受け取り、ＬＣＤモジュール２３ａの表示状態を制御する。
【００２６】
また、表示装置１にハードスイッチ又はソフトスイッチを設けて、ＣＰＵ１１にそのスイッチ情報を入力し、ＣＰＵ１１からＬＣＤモジュール２３ａの表示状態を制御することも可能である。その場合、そのスイッチ情報をＬＡＮインタフェース部１４〜１２でＡｓｙｎｃｈｒｏｎｏｕｓパケットにして、バス２経由でコントローラ３へ送信し、コントローラ３側及び表示装置１側の各スイッチ情報を一致させる。
【００２７】
実施の形態２．
図３は、本発明に係る表示装置の実施の形態２の構成を示すブロック図である。
この表示装置１ａでは、ディジタル処理部１９ａが変換したディジタルＲ，Ｇ，Ｂ信号、及びタイミングコントロール部１７が抽出した同期信号は、ＯＳＤ（Ｏｎ　Ｓｃｒｅｅｎ　Ｄｉｓｐｌａｙ　）部３２（上書きする手段）を経由して、ＬＣＤモジュール２３ａに与えられる。ＯＳＤ部３２は、オンスクリーン処理部３０及びフレームメモリ３１を備えている。オンスクリーン処理部３０は、ＣＰＵ１１からの制御信号（指示信号）に基づき、文字データ又は画像データをフレームメモリ３１に書き込むことにより、ディジタル処理部１９ａからのディジタルＲ，Ｇ，Ｂ信号に重畳させる。
【００２８】
文字データ又は画像データが重畳されたディジタルＲ，Ｇ，Ｂ信号は、同期信号と共にＬＣＤモジュール２３ａに与えられ、重畳された文字データ又は画像データは、ＬＣＤ２６に上書きされる。この文字データ又は画像データとしては、スイッチ類の状態表示、表示中の映像を出力している機器、色合い及び明るさの設定表示等が考えられる。その他の構成及び動作は、実施の形態１で説明した表示装置１の構成及び動作と同様であるので、同一箇所には同一符号を付加して説明を省略する。
【００２９】
【発明の効果】
第１発明に係る表示装置によれば、信号線から得たディジタル映像信号を表示する際に、ビデオＤＡコンバータが不要であると共に、信号線に接続されたコントローラから、表示状態の制御が可能な表示装置を実現することが出来る。
【００３０】
第２発明に係る表示装置によれば、信号線から得たディジタル映像信号を表示する際に、ビデオＤＡコンバータが不要であると共に、ディジタル映像信号が圧縮されているときは、それを伸長して表示することが出来る表示装置を実現することが出来る。
【００３１】
第３発明に係る表示装置によれば、信号線から得たディジタル映像信号を表示する際に、ビデオＤＡコンバータが不要であると共に、ＯＳＤ（Ｏｎ　Ｓｃｒｅｅｎ　Ｄｉｓｐｌａｙ　）機能を備えた表示装置を実現することが出来る。
【図面の簡単な説明】
【図１】本発明に係る表示装置の実施の形態の構成を示すブロック図である。
【図２】車両に搭載するＡＶシステムに、本発明に係る表示装置を組み込んだ場合の構成例を示すブロック図である。
【図３】本発明に係る表示装置の実施の形態の構成を示すブロック図である。
【図４】ＬＡＮを構成するバス（信号線）から得たディジタル映像信号を表示する従来の表示装置の構成例を示すブロック図である。
【符号の説明】
１，１ａ　表示装置
２　バス（信号線）
３　コントローラ
１１　ＣＰＵ（制御する手段）
１３　ＰＨＹチップ
１４　ＬＩＮＫチップ
１６　伸長部（伸長する手段）
１７　タイミングコントロール部
１９ａ　ディジタル処理部（作成手段）
２３ａ　ＬＣＤモジュール（表示部）
２４　ゲートドライバ
２５　ソースドライバ
２６　ＬＣＤ（液晶ディスプレイ）
２８　ＲＧＢ変換部
２９　階調用電圧発生部
３０　オンスクリーン処理部
３１　フレームメモリ
３２　ＯＳＤ部（上書きする手段）
【図１】
2004088349.tif 000003
【図２】
2004088349.tif 000004
【図３】
2004088349.tif 000005
【図４】
2004088349.tif 000006